(57)【要約】【課題】着脱可能な不揮発性機記憶装置を用いたヘルプ機能を有する電子機器を提供する。【解決手段】ＤＶＤプレイヤー１を操作中のユーザが、メニュー画面などのＯＳＤとして表示されている単語や言葉の内、分からないものがあった場合、リモコン３若しくは操作手段１７が備える図示しないヘルプボタンを押し、同じく図示しないカーソルキーにより該当の単語を選択し、選択した単語に対応するコードをメモリ１４ａから読み出し、メモリカード２に記憶する。選択した単語を記憶したメモリカード２は、別途ヘルプ機能のサービスを供給する異なる電子機器に接続し、読み取らせることにより、該当のコードから選択された文字や記号を判別し、対応する語句説明や機能説明をユーザに提示する。【選択図】図１
2007148760.tif 000002
【特許請求の範囲】
【請求項１】
音声を含む映像信号を処理する映像音声処理手段と、
前記映像音声処理手段から送られる映像音声データを表示部に表示する、若しくは外部表示装置と接続し映像音声データを該外部表示装置に出力する映像音声出力部と、
装置の動作制御を行う制御手段と、
前記映像音声出力部から出力される映像データへ重畳させるＯＳＤ（Ｏｎ  Ｓｃｒｅｅｎ  Ｄｉｓｐｌａｙ）表示のための情報であるコードや、装置の動作に必要な各種情報を記憶するメモリ部と、
前記メモリ部から前記コードの読み出しを行い、前記コードに対応するＯＳＤを作成するＯＳＤ作成部と、
ユーザによる装置の操作を行うための操作手段を備える電子機器において、
着脱可能な不揮発性記憶装置への記録再生を行う記録再生手段を備え、前記映像音声出力部から出力される映像音声データに重畳されてＯＳＤ表示される文字や記号から、任意の文字や記号を選択可能なＯＳＤ画像選択手段を表示し、該選択手段により選択された文字や記号を示す前記コードを、前記着脱可能な不揮発性記憶装置に記憶することを特徴とする着脱可能な不揮発性記憶装置を介するヘルプ機能を有する電子機器。
【請求項２】
前記コードを、前記着脱可能な不揮発性記憶装置に記憶する際に、電子機器の特定をするための情報を合わせて記憶することを特徴とする請求項１に記載の着脱可能な不揮発性記憶装置を介するヘルプ機能を有する電子機器。
【請求項３】
前記選択手段により選択された任意の文字や記号を示すコードを、選択された任意の文字や記号をテキストデータに変換して前記着脱可能な不揮発性記憶装置に記憶するテキスト変換部を備えることを特徴とする請求項１又は２に記載の着脱可能な不揮発性記憶装置を介するヘルプ機能を有する電子機器。
【請求項４】
前記着脱可能な不揮発性記憶装置は、メモリカード、及びメモリカードに記録されたデータの記録及び再生が可能なメモリカードインタフェース部により構成されることを特徴とする請求項１から３の何れか１項に記載の着脱可能な不揮発性記憶装置を介するヘルプ機能を有する電子機器。
【発明の詳細な説明】
【技術分野】
【０００１】
本発明は、使用中に表示部若しくは表示装置にＯＳＤ画像として表示されるメニューなどに含まれる文字や記号を、他の電子機器などで利用するためにメモリカードなどの着脱可能な記録装置に記憶することができる、着脱可能な不揮発性記憶装置を介するヘルプ機能を有する電子機器に関する。
【背景技術】
【０００２】
従来、電子機器の多様化する機能や複雑な操作方法をユーザに報知するために、取扱説明書を製品に同封していた。近年、このマニュアルなどのペーパーレス化を図るため、操作方法等を電子機器内部の記憶装置に記憶させ、電子機器が備える表示部等に表示する方法が存在する。
【０００３】
例えば、特許文献１では、リモコンの操作により、表示装置の表示部に表示されるメニューからヘルプモードを選択することにより、リモコンを模る画像を表示し、この状態でリモコンの任意のボタンを押すと、前記画像における該当のボタンを点滅させると共に、機能説明文がＯＳＤ画像として表示される方法を開示している。
【０００４】
また、特許文献２では、メニュー画面やその他の機能を操作するための操作画面を表示中、一定時間操作が行われない場合、該当画面についてのガイダンスを表示する方法を開示している。
【特許文献１】特開平９−１３０６９５号公報
【特許文献２】特開平９−５５８９５号公報
【発明の開示】
【発明が解決しようとする課題】
【０００５】
しかしながら、従来の技術において、表示中の画面に記載される専門的な用語など、ユーザが分からない単語が表示されても、それを調べるには、ユーザ自身で何らかの方法で記憶し、別途検索などをしなくてはならず、また、読みが分からない難解な漢字などが単語に含まれている場合、その用語の検索が更に難しくなる等の不具合があった。
【０００６】
本発明は上記課題を鑑みてなされたものであり、ユーザが分からない用語を、選択して記憶し、着脱可能な不揮発性記憶媒体に記憶し、それを別途提供する検索サービス等で検索を行うための、着脱可能な不揮発性記憶装置を介するヘルプ機能を有する電子機器を提供することを目的とする。
【課題を解決するための手段】
【０００７】
請求項１に係る着脱可能な不揮発性記憶装置を介するヘルプ機能を有する電子機器は、
音声を含む映像信号を処理する映像音声処理手段と、
前記映像音声処理手段から送られる映像音声データを表示部に表示する、若しくは外部表示装置と接続し映像音声データを該外部表示装置に出力する映像音声出力部と、
装置の動作制御を行う制御手段と、
前記映像音声出力部から出力される映像データへ重畳させるＯＳＤ（Ｏｎ  Ｓｃｒｅｅｎ  Ｄｉｓｐｌａｙ）表示のための情報であるコードや、装置の動作に必要な各種情報を記憶するメモリ部と、
前記メモリ部から前記コードの読み出しを行い、前記コードに対応するＯＳＤを作成するＯＳＤ作成部と、
ユーザによる装置の操作を行うための操作手段を備える電子機器において、
着脱可能な不揮発性記憶装置への記録再生を行う記録再生手段を備え、前記映像音声出力部から出力される映像音声データに重畳されてＯＳＤ表示される文字や記号から、任意の文字や記号を選択可能なＯＳＤ画像選択手段を表示し、該選択手段により選択された文字や記号を示す前記コードを、前記着脱可能な不揮発性記憶装置に記憶することを特徴とする。
【０００８】
請求項１の構成によれば、電子機器の操作のために、表示部若しくは表示装置にメニュー画面等のＯＳＤ表示をする際に、ユーザがわからない言葉や単語が存在した際に、該当の言葉や単語などの文字や記号を選択手段により選択し、当該文字や記号に対応したコードを着脱可能な不揮発性記憶装置に記憶させることができる。
【０００９】
請求項２に係る着脱可能な不揮発性記憶装置を介するヘルプ機能を有する電子機器は、請求項１に記載の着脱可能な不揮発性記憶装置を介するヘルプ機能を有する電子機器において、前記コードを、前記着脱可能な不揮発性記憶装置に記憶する際に、電子機器の特定をするための情報を合わせて記憶することを特徴とする。
【００１０】
請求項２の構成によれば、文字や記号に対応したコードを記録する際に、電子機器を示す型番などの情報を同時に記憶することができる。
【００１１】
請求項３に係る着脱可能な不揮発性記憶装置を介するヘルプ機能を有する電子機器は、請求項１又は２に記載の着脱可能な不揮発性記憶装置を介するヘルプ機能を有する電子機器において、前記選択手段により選択された任意の文字や記号を示すコードを、選択された任意の文字や記号をテキストデータに変換して前記着脱可能な不揮発性記憶装置に記憶するテキスト変換部を備えることを特徴とする。
【００１２】
請求項３の構成によれば、選択された任意の文字や記号に対応するメモリ部に記憶されるコードを記録するのではなく、当該ＯＳＤ表示される文字や記号をテキストデータに変換して記憶することができる。
【００１３】
請求項４に係る着脱可能な不揮発性記憶装置を介するヘルプ機能を有する電子機器は、請求項１から３の何れか１項に記載の着脱可能な不揮発性記憶装置を介するヘルプ機能を有する電子機器において、前記着脱可能な不揮発性記憶装置は、メモリカード、及びメモリカードに記録されたデータの記録及び再生が可能なメモリカードインタフェース部により構成されることを特徴とする。
【００１４】
請求項４の構成によれば、前記着脱可能な不揮発性記憶装置として、周知の技術であり着脱可能なメディアであるメモリカードと、その読み取りを行うメモリカードインタフェースにより構成される。
【発明の効果】
【００１５】
請求項１に係る請求項１に係る着脱可能な不揮発性記憶装置を介するヘルプ機能を有する電子機器は、
音声を含む映像信号を処理する映像音声処理手段と、
前記映像音声処理手段から送られる映像音声データを表示部に表示する、若しくは外部表示装置と接続し映像音声データを該外部表示装置に出力する映像音声出力部と、
装置の動作制御を行う制御手段と、
前記映像音声出力部から出力される映像データへ重畳させるＯＳＤ表示のための情報であるコードや、装置の動作に必要な各種情報を記憶するメモリ部と、
前記メモリ部から前記コードの読み出しを行い、前記コードに対応するＯＳＤを作成するＯＳＤ作成部と、
ユーザによる装置の操作を行うための操作手段を備える電子機器において、
着脱可能な不揮発性記憶装置への記録再生を行う記録再生手段を備え、前記映像音声出力部から出力される映像音声データに重畳されてＯＳＤ表示される文字や記号から、任意の文字や記号を選択可能なＯＳＤ画像選択手段を表示し、該選択手段により選択された文字や記号を示すコードを、前記着脱可能な不揮発性記憶装置に記憶するので、ユーザが電子機器を使用している際に、メニュー画面等のＯＳＤ表示中の文字や記号に、理解できない言葉や単語が表示された場合、当該言葉や単語を選択手段により選択し、当該画像のコードを着脱可能な不揮発性記憶装置に記憶させることで、不揮発性記憶装置を他の電子機器に接続し、例えばインターネットに展開されるオンラインヘルプサービスなどに、文字や記号のコードを送信することで、ユーザは選択した言葉や単語の意味などを、参照することができる。
【００１６】
請求項２に係る着脱可能な不揮発性記憶装置を介するヘルプ機能を有する電子機器は、請求項１に記載の着脱可能な不揮発性記憶装置を介するヘルプ機能を有する電子機器において、前記コードを、前記着脱可能な不揮発性記憶装置に記憶する際に、電子機器の特定をするための情報を合わせて記憶するので、前述のオンラインヘルプサービスなどに、コードを送信する際に、電子機器を特定する型番や、メニューの表示の制御を行う制御部たるマイコンの品番を併せて送信することができ、例えば、同様の単語が、異なる製品において異なる意味で使用されている場合でも、製造メーカーの意図する意味の解説を確実に得ることができる。
【００１７】
請求項３に係る着脱可能な不揮発性記憶装置を介するヘルプ機能を有する電子機器は、請求項１又は２に記載の着脱可能な不揮発性記憶装置を介するヘルプ機能を有する電子機器において、前記選択手段により選択された任意の文字や記号を示すコードを、選択された任意の文字や記号をテキストデータに変換して前記着脱可能な不揮発性記憶装置に記憶するテキスト変換部を備えるので、例えば、インターネットに接続したパーソナルコンピュータに、着脱可能な不揮発性記憶装置を接続し、テキストデータを読み取ることにより、検索サイトなどによる単語や言葉の検索ができるという、柔軟な利用方法を提供することができる。
【００１８】
請求項４に係る着脱可能な不揮発性記憶装置を介するヘルプ機能を有する電子機器は、請求項１から３の何れか１項に記載の着脱可能な不揮発性記憶装置を介するヘルプ機能を有する電子機器において、前記着脱可能な不揮発性記憶装置は、メモリカード、及びメモリカードに記録されたデータの記録及び再生が可能なメモリカードインタフェース部により構成されるので、携帯性が良く、容易に着脱が可能であり、低コストにて着脱可能な不揮発性記憶装置を介するヘルプ機能の実施をすることができる。
【発明を実施するための最良の形態】
【００１９】
以下、本発明を実施するための最良の形態としての実施例を図１〜図３を参照して説明する。もちろん、本発明は、その発明の趣旨に反さない範囲で、実施例において説明した以外のものに対しても容易に適用可能なことは説明を要するまでもない。
【００２０】
図１〜図３は、本発明の実施例を示し、図１は、本実施例における電子機器であるＤＶＤプレイヤーの構成を示すブロック図である。図２はＤＶＤプレイヤーのヘルプ機能の動作を示すフローチャート図である。図３は、表示部若しくは表示装置に表示されるメニュー画面から任意の文字や記号を選択する動作を示す説明図であり、（ａ）はメニュー表示直後を示し、（ｂ）はヘルプ機能を作動させた直後を示し、（ｃ）はカーソルを移動させ、任意の単語を選択した状態を示している。
【００２１】
本実施例におけるＤＶＤプレイヤーの構成について、図１に基づいて説明する。１は電子機器たるＤＶＤプレイヤーである。１１は記憶媒体たるＤＶＤであり、１２はＤＶＤ１１からデータの読み取りや書き込みを行う再生手段である。１３は、再生手段１３により読み取られる映像音声信号の処理を行う映像音声処理部である。１４は、ＤＶＤプレイヤーの動作の制御を行う制御手段たるマイコンであり、内部にＯＳＤ画像データやＤＶＤプレイヤーの型番、制御部１４の品番などの動作に必要な情報を記憶するメモリ１４ａと、表示するＯＳＤ画像の作成を行うＯＳＤ作成部１４ｂを含むものである。１５は後述の着脱可能な不揮発性記憶装置たるメモリカードへの記録及び再生を行うメモリカードインタフェース部である。１６は受光部であり、後述のリモコンから送信される光信号を受光する。１７は例えば再生キーやチャンネル選択キーなどに代表される操作手段である。２は前述の着脱可能な不揮発性記憶装置たるメモリカードである。３はユーザによる操作を光信号として前述の受光部１６に対して送信するための、少なくともヘルプボタンとカーソルボタンを備えるリモコンである。４は表示装置たるＤＶＤプレイヤー１に接続したテレビジョン受像機であり、表示部４１を備えるものである。
【００２２】
次に、ＤＶＤプレイヤー１における、本発明の動作を、図２に基づいて説明する。ユーザがＤＶＤプレイヤーの操作中、ＯＳＤ画像が表示部４１に表示されている時（Ｓ１００１）、リモコン３や操作手段１７に備えるヘルプボタンが押された場合（Ｓ１００２）、ＯＳＤ画像から任意の文字や記号を選択する選択手段たるカーソルを表示する（Ｓ１００３）。ユーザが所望の文字や記号を選択し、確定操作を行ったら（Ｓ１００４）、メモリカード記録再生手段１５を通してメモリカード２に選択した文字や記号を示すコードと共に、メモリ１４ａに記憶されるＤＶＤプレイヤー１の型番や制御部１４たるマイコンの品番を併せて書き込む（Ｓ１００５）。書き込みが終了したら、カーソルを消去し、ヘルプ機能を終了する（Ｓ１００６）。
【００２３】
次に、表示部４１に表示されたメニュー画面から、任意の文字や記号を選択する方法について、図３に基づいて説明する。（ａ）は、メニュー画面が表示された直後の状態を示している。この状態で、リモコン３若しくは操作手段１７が備える図示ヘルプボタンを押すと、（ｂ）に示すように、選択手段たるカーソル５が表示される。このカーソル５をリモコン３若しくは操作手段１７が備える図示しないカーソルボタンにより移動させ、例えば「黒伸張」を選択するものとすると、（ｃ）のように表示される。この状態でリモコン３若しくは操作手段１７が備える図示しない確定ボタンを押すことにより、メモリカードインタフェース部１５を通してメモリカード２に、ＤＶＤプレイヤー１の型番やマイコン１４の品番と共に、メモリ１４ａに蓄積される「黒伸張」の文字に対応したコードが記憶される。
【００２４】
以上のように構成されるＤＶＤプレイヤー１のヘルプ機能において、表示部４１に表示されるメニュー画面などのＯＳＤ画像中に、ユーザが分からない単語や言葉が存在した場合、当該文字や記号をカーソル５により選択し、選択した画像に対応するコード及びＤＶＤプレイヤー１の型番、マイコン１４の品番をメモリカード２に記憶することにより、図示しない他の電子機器、例えば予めヘルプ機能を有するアプリケーションソフトウェアをインストールしたパーソナルコンピュータに接続し、当該型番や品番及び選択した画像に対応するコードを読み取らせ、ユーザが選択した文字や記号を判別し、その語句の意味や、選択した語句がＤＶＤプレイヤー１の機能である場合の機能解説等のサービスを享受することができ、利便性が向上する。
【００２５】
以上、本発明の実施例を詳述したが、本発明は前記実施例に限定されるものではなく、本発明の要旨の範囲内で種々の変形実施が可能である。例えば、本実施例において、電子機器をＤＶＤプレイヤーとしたが、これに限定せず、表示装置そのものであるテレビジョン受像機であったり、ＨＤＤ（Ｈａｒｄ  Ｄｉｓｋ  Ｄｒｉｖｅ）プレイヤーなどの記録再生装置であったり、ＤＶＤやＨＤＤなどを複数備える複合機であっても何ら問題は無い。また、着脱可能な不揮発性記憶装置をメモリカード及びメモリカードインタフェース部としたが、これに限定せずに、ＵＳＢ（Ｕｎｉｖｅｒｓａｌ  Ｓｅｒｉａｌ  Ｂｕｓ）メモリ等の着脱可能な不揮発性記憶装置を用いても問題ない。更に、メモリカードに記憶する情報を、文字や記号に対応するコードとしたが、これに限定せず、電子機器内部にコードを文字列に変換するテキスト変換部（図示しない）を備え、コードをテキストデータにして保存しても良い。テキスト変換部を備え、テキストデータとして保存するような構成の場合、装置構成が複雑化する反面、メモリカード２を接続した際に、一般に用いられているＷｅｂサイトによる検索サービスなどの、より柔軟なサービスを享受することができる。
【図面の簡単な説明】
【００２６】
【図１】本発明の実施例における、ＤＶＤプレイヤーの構成を示すブロック図である。
【図２】同上、ＤＶＤプレイヤーのヘルプ機能の動作を示すフローチャート図である。
【図３】同上、表示部のヘルプ機能の動作時の状態を示す説明図である。
【符号の説明】
【００２７】
１      ＤＶＤプレイヤー（電子機器）
１４    マイコン（制御手段）
１４ａ  メモリ
１４ｂ  ＯＳＤ作成部
１５    メモリカードインタフェース部
１７    操作手段
２      メモリカード（着脱可能な不揮発性記憶装置）
３      リモコン（操作手段）
４      表示装置（表示部若しくは表示装置）
【図１】
2007148760.tif 000003
【図２】
2007148760.tif 000004
【図３】
2007148760.tif 000005